(57)【要約】【課題】簡単な構造でありながら、靴内での足の滑りを防止できる靴下等の足覆いを提供することを目的としている。【解決手段】足Ｆを覆う足覆い本体１０の少なくとも足裏部分１２の内周面１２ａには、内部側に突出する滑り止め用の複数の内突起１３が設けられ、さらに、その足裏部分１２の外周面１２ｂには、外部側に突出する滑り止め用の複数の外突起１４が設けられ、これら内外突起１３，１４は、少なくともつま先部分Ｆ１及び踵部分Ｆ２に設けられるようにしたことを特徴としている。【選択図】  図２
0003161737.tif 000002
【実用新案登録請求の範囲】
【請求項１】
足を覆う足覆い本体の少なくとも足裏部分の内周面には、内部側に突出する滑り止め用の複数の内突起が設けられ、さらに、その足裏部分の外周面には、外部側に突出する滑り止め用の複数の外突起が設けられ、これら内外突起は、少なくともつま先部分及び踵部分に設けられてなることを特徴とする靴下等の足覆い。
【請求項２】
足のつま先部分から土踏まず部分近傍までを覆う足覆い本体の少なくとも足裏部分の内周面には、内部側に突出する滑り止め用の複数の内突起が設けられ、さらに、その足裏部分の外周面には、外部側に突出する滑り止め用の複数の外突起が設けられてなることを特徴とする靴下等の足覆い。
【請求項３】
前記外突起は、前記内突起と対向しない位置に設けられてなることを特徴とする請求項１又は２に記載の靴下等の足覆い。
【請求項４】
前記足覆い本体の内外周面に前記複数の内外突起を設けるにあたって、軟性のシート材を介して設けられてなることを特徴とする請求項１〜３のいずれか１項に記載の靴下等の足覆い。
【考案の詳細な説明】
【技術分野】
【０００１】
本考案は、少なくとも足裏部分に滑り止め加工が施された靴下、半靴下、５本指タイプの靴下及び半靴下、足袋、外反母趾矯正靴下、ストッキング等の足覆いに関する。
【背景技術】
【０００２】
従来の靴下は、綿等の材質で形成されているため、靴と靴下が密着していないと靴内で靴下が滑ってしまい、それが原因で使用者は、通勤通学、介護等の日常生活の中で靴ずれを起こしてしまうという問題があった。特にスポーツ等の激しい運動を行った際に顕著な問題であった。
【０００３】
また一方、靴内で靴下が滑ると、充分な脚力を発揮させることができないという問題もあった。
【０００４】
そこで、このような問題点を解決すべく、靴下が靴内で滑らないように、靴を数ミリ単位で加工調整し、靴下と靴を密着させるようにする靴が提案されている。しかしながら、このような靴を長時間に亘って履いていると、靴下と靴が密着しているため足が疲労しやすく、通勤通学、介護等の日常生活で長時間使用することができないという問題があった。特にマラソンなどの運動を行った際に顕著な問題であった。一方、このような靴は、オーダーメイドであるため、既製品に比べ非常に高価であるという問題があった。
【０００５】
そこで、このような問題点を解決すべく、靴下の足裏部分にゴム等の摩擦抵抗の大きな滑り止め素材を固着し、靴と靴下との滑りを防止する靴下が提案されている（例えば、特許文献１）。しかしながら、このような靴下は、靴下と靴との滑りを防止することができるものの靴下と足との滑りを防止することができないため、上記のような問題点を充分に解決するものではなかった。
【先行技術文献】
【特許文献】
【０００６】
【特許文献１】実用新案登録第３０５７９８３号公報
【考案の概要】
【考案が解決しようとする課題】
【０００７】
そこで本考案は、上記事情に鑑み、簡単な構造でありながら、靴内での足の滑りを防止できる靴下等の足覆いを提供することを目的としている。
【課題を解決するための手段】
【０００８】
上記目的を達成するための手段を、図面の参照符号を付して説明すると、請求項１に係る靴下等の足覆い（靴下１，２）は、足Ｆを覆う足覆い本体（靴下本体１０）の少なくとも足裏部分１２の内周面１２ａには、内部側に突出する滑り止め用の複数の内突起１３が設けられ、さらに、その足裏部分１２の外周面１２ｂには、外部側に突出する滑り止め用の複数の外突起１４が設けられ、これら内外突起１３，１４は、少なくともつま先部分Ｆ１及び踵部分Ｆ２に設けられてなることを特徴としている。
【０００９】
一方、請求項２に係る靴下等の足覆い（半靴下３）は、足Ｆのつま先部分Ｆ１から土踏まず部分Ｆ４近傍までを覆う足覆い本体（半靴下本体３０）の少なくとも足裏部分３１の内周面３１ａには、内部側に突出する滑り止め用の複数の内突起１３が設けられ、さらに、その足裏部分３１の外周面３１ｂには、外部側に突出する滑り止め用の複数の外突起１４が設けられてなることを特徴としている。
【００１０】
また、請求項３は、上記請求項１又は２に記載の靴下等の足覆いにおいて、上記外突起１４は、上記内突起１３と対向しない位置に設けられてなることを特徴としている。
【００１１】
さらに、請求項４は、上記請求項１〜３のいずれか１項に記載の靴下等の足覆いにおいて、上記足覆い本体（靴下本体１０，半靴下本体３０）の内外周面１２ａ，１２ｂ、３１ａ，３１ｂに上記複数の内外突起１３，１４を設けるにあたって、軟性のシート材（内外シート材２０，２１）を介して設けられてなることを特徴としている。
【考案の効果】
【００１２】
次に、本考案の効果について、図面の参照符号を付して説明する。まず、請求項１に係る足覆いによれば、足覆い本体（靴下本体１０）の少なくとも足裏部分１２の内周面１２ａ、より詳しくは、少なくとも使用者の足Ｆのつま先部分Ｆ１及び踵部分Ｆ２に、内部側に突出する滑り止め用の複数の内突起１３が設けられている。それゆえ、足覆い（靴下１，２）と足Ｆとの滑りを防止することができる。さらに、その足裏部分１２の外周面１２ｂのうち足Ｆのつま先部分Ｆ１及び踵部分Ｆ２に、外部側に突出する滑り止め用の複数の外突起１４が設けられているから、靴と足覆い（靴下１，２）との滑りも防止することができる。
【００１３】
したがって、本考案によれば、靴内での足の滑りを防止することができる。
【００１４】
また、本考案によれば、足覆い本体（靴下本体１０）の少なくとも足裏部分１２の内外周面１２ａ，１２ｂ、より詳しくは、少なくとも使用者の足Ｆのつま先部分Ｆ１及び踵部分Ｆ２に、内外部側に突出する滑り止め用の複数の内外突起１３，１４を設けているだけであるから、構造が極めて簡単である。それゆえ、製造コストを低く抑えることができる。
【００１５】
一方、請求項２に係る足覆いによれば、使用者の足Ｆのつま先部分Ｆ１から土踏まず部分Ｆ４近傍までを覆う足覆い本体（半靴下本体３０）の少なくとも足裏部分３１には、その内周面３１ａに、内部側に突出する滑り止め用の複数の内突起１３が設けられている。それゆえ、足覆いと足との滑りを防止することができる。さらに、その足裏部分３１の外周面３１ｂに、外部側に突出する滑り止め用の複数の外突起１４が設けられているから、靴と足覆いとの滑りも防止することができる。
【００１６】
したがって、本考案によれば、靴内での足の滑りを防止することができる。
【００１７】
また、本考案によれば、足覆い本体（半靴下本体３０）の少なくとも足裏部分３１の内外周面３１ａ，３１ｂに、内外部側に突出する滑り止め用の複数の内外突起１３，１４を設けているだけであるから、構造が極めて簡単である。それゆえ、製造コストを低く抑えることができる。
【００１８】
さらに、請求項３に係る足覆いによれば、上記外突起１４は、上記内突起１３と対向しない位置に設けられているから、使用者が当該足覆いを使用する際、あまり違和感なく当該足覆いを使用することができる。
【００１９】
そして、請求項４に係る足覆いによれば、足覆い本体（靴下本体１０，半靴下本体３０）の内外周面１２ａ，１２ｂ、３１ａ，３１ｂに上記複数の内外突起１３，１４を設けるにあたって、軟性のシート材（内外シート材２０，２１）を介して設けているから、簡単容易に足覆い本体の内外周面に上記複数の内外突起を設けることができる。
【００２０】
なお、本明細書における、足の土踏まず部分近傍とは、足の踵部分を含めない範囲のことをいう。
【図面の簡単な説明】
【００２１】
【図１】本考案の第１実施形態に係る靴下の使用状態を示す斜視図である。
【図２】（ａ）同実施形態に係る靴下の底面図、（ｂ）同実施形態に係る靴下の縦断面図である。
【図３】（ａ）本考案の第２実施形態に係る靴下の底面図、（ｂ）同実施形態に係る靴下の縦断面図である。
【図４】（ａ）本考案の第３実施形態に係る半靴下の使用状態を示す斜視図、（ｂ）同実施形態に係る半靴下の縦断面図である。
【考案を実施するための形態】
【００２２】
＜第１実施形態＞
以下に本考案の第１実施形態を、図１及び図２を参照して具体的に説明する。
【００２３】
本実施形態に係る靴下１は、図１及び図２（ｂ）に示すように、使用者の足Ｆのつま先部分Ｆ１から足首部分Ｆ３までを覆う靴下本体１０を有しており、この靴下本体１０は、靴下編み機により天然糸又は合成糸を使用して編成され、足首部分Ｆ３には履き口部１１が形成されている。この履き口部１１は、靴下編み機により編み目を小さくするなどして、生地自体その部分を細く編み立てるか、あるいは、ゴムを入れたりして、比較的弱い伸縮性をもたせるように形成されている。
【００２４】
一方、靴下本体１０の足裏部分１２には、図２に示すように、その足裏部分１２の内周面１２ａのうち使用者の足Ｆのつま先部分Ｆ１及び踵部分Ｆ２に沿う面に、内部側に突出する滑り止め用の複数の内突起１３がその面の全面にわたって所要間隔を置いて設けられている。さらに、その足裏部分１２の外周面１２ｂには、その外周面１２ｂのうち使用者の足Ｆのつま先部分Ｆ１及び踵部分Ｆ２に沿う面に、外部側に突出する滑り止め用の複数の外突起１４がその面の全面にわたって、上記内突起１３と対向しない位置に設けられている。このように、外突起１４を内突起１３と対向しない位置に設けることによって、使用者が当該靴下１を使用する際、あまり違和感なく当該靴下１を使用することができる。なお、外突起１４は、内突起１３と対向しない位置に設けた方が好ましいが、対向する位置に設けても良い。また、本実施形態においては、内外突起１３，１４を、足Ｆのつま先部分Ｆ１及び踵部分Ｆ２に沿う面の全面にわたって設けている例を例示したが、全面にわたって設けなくとも良い。
【００２５】
一方、上記内外突起１３，１４は、半球状に形成されると共に、アクリル樹脂、シリコーン樹脂、ウレタン樹脂のような軟性樹脂や天然ゴム等で形成されている。そしてこのように形成される内外突起１３，１４を、足裏部分１２の内外周面１２ａ，１２ｂに設けるにあたっては、突起模様の開孔を有する型板上から、加熱溶融した軟性樹脂や天然ゴム等の素材を上面が平坦になるように塗布するか、あるいは、内外突起１３，１４を上記のように形成した上で、接着剤や縫着等で固定することによって設けている。なお、本実施形態においては、内外突起１３，１４を半球状に形成したものを例示したが、この形状に限定されるものではなく、例えば、水玉模様や、花柄等、様々な形状に形成することができる。
【００２６】
しかして、本実施形態に係る靴下１によれば、靴下本体１０の足裏部分１２の内周面１２ａのうち使用者の足Ｆのつま先部分Ｆ１及び踵部分Ｆ２に沿う面に、内部側に突出する滑り止め用の複数の内突起１３が設けられているから、靴下と足との滑りを防止することができる。さらに、その足裏部分１２の外周面１２ｂのうち使用者の足Ｆのつま先部分Ｆ１及び踵部分Ｆ２に沿う面に、外部側に突出する滑り止め用の複数の外突起１４が設けられているから、靴と靴下との滑りも防止することができる。
【００２７】
したがって、本実施形態によれば、靴内での足の滑りを防止することができる。
【００２８】
また、本実施形態によれば、靴下本体１０の足裏部分１２の内外周面１２ａ，１２ｂのうち使用者の足Ｆのつま先部分Ｆ１及び踵部分Ｆ２に沿う面に、内外部側に突出する滑り止め用の複数の内外突起１３，１４を設けているだけであるから、構造が極めて簡単である。それゆえ、製造コストを低く抑えることができる。
【００２９】
＜第２実施形態＞
次に、本考案の第２実施形態を、図３を参照して具体的に説明する。なお、第１実施形態と同一構成については、同一の符号を付し、説明は省略する。
【００３０】
本実施形態に係る靴下２は、図３に示すように、靴下本体１０の足裏部分１２の内周面１２ａのうち使用者の足Ｆのつま先部分Ｆ１及び踵部分Ｆ２に沿う面に、内部側に突出する滑り止め用の複数の内突起１３が内シート材２０を介して設けられている。一方、その足裏部分１２の外周面１２ｂには、その外周面１２ｂのうち使用者の足Ｆのつま先部分Ｆ１及び踵部分Ｆ２に沿う面に、外部側に突出する滑り止め用の複数の外突起１４がその面の全面にわたって、上記内突起１３と対向しない位置に外シート材２１を介して設けられている。そして、その他の部分については、第１実施形態に係る靴下１と同様の構成を有している。
【００３１】
この内外シート材２０，２１は、ナイロン布等の柔軟性のある材質で形成されると共に、薄板状に形成されている。そして、この内外シート材２０，２１の片面には、内外突起１３，１４が、突起模様の開孔を有する型板上から、加熱溶融した軟性樹脂や天然ゴム等の素材を上面が平坦になるように塗布することで設けられており、他面には両面テープが貼着されている。この両面テープによって、上記内外シート材２０，２１は、靴下本体１０の足裏部分１２の内外周面１２ａ，１２ｂに固定されている。なお、本実施形態においては、両面テープによって、足裏部分１２の内外周面１２ａ，１２ｂに内外シート材２０，２１を固定する例を示したが、これに限らず、接着剤を用いても良いし、あるいは、天然糸又は合成糸等を用いて縫着しても良い。
【００３２】
しかして本実施形態によれば、靴下本体１０の内外周面１２ａ，１２ｂに上記複数の内外突起１３，１４を設けるにあたって、軟性の内外シート材２０，２１を介して設けているから、簡単容易に靴下本体１０の内外周面１２ａ，１２ｂに上記複数の内外突起１３，１４を設けることができる。
【００３３】
なお、第１及び第２実施形態において例示した靴下１，２は、靴下本体１０の足裏部分１２の内外周面１２ａ，１２ｂのうち使用者の足Ｆのつま先部分Ｆ１及び踵部分Ｆ２に沿う面にしか内外突起１３，１４を設けていないが、足裏部分１２の全面にわたって内外突起１３，１４を設けても良い。
【００３４】
＜第３実施形態＞
次に、本考案の第３実施形態を、図４を参照して具体的に説明する。なお、第１実施形態と同一構成については、同一の符号を付し、説明は省略する。
【００３５】
本実施形態に係る半靴下３は、図４に示すように、使用者の足Ｆのつま先部分Ｆ１から土踏まず部分Ｆ４近傍までを覆う半靴下本体３０を有しており、この半靴下本体３０は、靴下編み機により天然糸又は合成糸を使用して編成され、土踏まず部分Ｆ４近傍に履き口部１１が形成されている。
【００３６】
一方、靴下本体３０の足裏部分３１には、図４（ｂ）に示すように、その足裏部分３１の内周面３１ａの全面にわたって、内部側に突出する滑り止め用の複数の内突起１３が所要間隔を置いて接着剤等により設けられている。さらに、その足裏部分３１の外周面３１ｂには、全面にわたって、外部側に突出する滑り止め用の複数の外突起１４が、上記内突起１３と対向しない位置に接着剤等によって設けられている。なお、足裏部分３１の内外周面３１ａ，３１ｂに内外突起１３，１４を設ける方法としては、本実施形態において例示した方法に限らず、第２実施形態で示した内外シート材２０，２１を用いて設けても良い。
【００３７】
しかして、本実施形態に係る半靴下３によれば、半靴下本体３０の足裏部分３１の内周面３１ａに、内部側に突出する滑り止め用の複数の内突起１３が設けられているから、半靴下と足との滑りを防止することができる。さらに、その足裏部分３１の外周面３１ｂに、外部側に突出する滑り止め用の複数の外突起１４が設けられているから、靴と半靴下との滑りも防止することができる。
【００３８】
したがって、本実施形態によれば、靴内での足の滑りを防止することができる。
【００３９】
また、本実施形態によれば、半靴下本体３０の足裏部分３１の内外周面３１ａ，３１ｂに、内外部側に突出する滑り止め用の複数の内外突起１３，１４を設けているだけであるから、構造が極めて簡単である。それゆえ、製造コストを低く抑えることができる。
【００４０】
ところで、上述の第１〜第３実施形態においては、足裏部分１２，３１にのみ内外突起１３，１４を設ける例を示したが、足の甲の部分に内外突起１３，１４を設けても良い。
【００４１】
また、上述の第１〜第３実施形態においては、靴下及び半靴下を用いて本考案を説明したが、これに限らず、５本指タイプの靴下及び半靴下、足袋、外反母趾矯正靴下、ストッキング等にも適用可能である。
【符号の説明】
【００４２】
１，２        靴下（足覆い）
３            半靴下（足覆い）
１０          靴下本体（足覆い本体）
１２          （靴下の）足裏部分
１２ａ        （靴下の足裏部分の）内周面
１２ｂ        （靴下の足裏部分の）外周面
１３          内突起
１４          外突起
２０          内シート材
２１          外シート材
３０          半靴下本体（足覆い本体）
３１          （半靴下の）足裏部分
３１ａ        （半靴下の足裏部分の）内周面
３１ｂ        （半靴下の足裏部分の）外周面
Ｆ            足
Ｆ１          つま先部分
Ｆ２          踵部分
Ｆ４          土踏まず部分
【図１】
0003161737.tif 000003
【図２】
0003161737.tif 000004
【図３】
0003161737.tif 000005
【図４】
0003161737.tif 000006